(57)【要約】【課題】光記録ディスクのデータ転送速度を向上させる。【解決手段】２光子吸収化合物を含む記録層を有する光記録ディスク１０に情報を記録する方法である。この記録方法では、複数のトラック１５ａ分の第１のピット配列データを取得する。次に、第１のピット配列データを光記録ディスク１０上に配置したときのピット１７を、径方向に順に走査したときの配列として得られる第２のピット配列データに変換し、光記録ディスク１０を回転させながら複数のトラック１５ａに相当する範囲を含む範囲でパルスレーザを径方向にスキャンさせながら照射する。そして、パルスレーザが発する光を第２のピット配列データにしたがって明滅させる。【選択図】図５
2009245536.tif 000002
【特許請求の範囲】
【請求項１】
２光子吸収化合物を含む記録層を有する光記録ディスクに情報を記録する方法であって、
記録すべき情報を光記録ディスク上に螺旋状または同心円状に並ぶ複数トラック分のピットに対応する第１のピット配列データとして取得し、
前記第１のピット配列データを光記録ディスク上に配置したときのピットを、径方向に順に走査したときの配列として得られる第２のピット配列データに変換し、
前記光記録ディスクを回転させながら前記複数のトラックに相当する範囲を含む範囲でパルスレーザを径方向にスキャンさせて照射し、
前記パルスレーザが発するパルスレーザ光を前記第２のピット配列データにしたがって明滅させることを特徴とする光記録ディスクの記録方法。
【請求項２】
請求項１に記載の記録方法により情報が記録された光記録ディスクから情報を再生する方法であって、
前記光記録ディスクを回転させながら、前記トラックをトレースするように前記光記録ディスクにレーザ光を照射し、
前記光記録ディスクを通過し、または前記光記録ディスクで反射したレーザ光を受光し、
受光した光の強度信号から情報を復調することを特徴とする光記録ディスクの再生方法。
【請求項３】
２光子吸収化合物を含む記録層を有する光記録ディスクに情報を記録する方法であって、
記録すべき情報を光記録ディスク上に並ぶピットに対応するピット配列データとして取得し、
前記光記録ディスクを回転させながらパルスレーザを前記光記録ディスクの径方向にスキャンさせて照射し、
前記パルスレーザが発するパルスレーザ光を前記ピット配列データにしたがって明滅させることを特徴とする光記録ディスクの記録方法。
【請求項４】
請求項３に記載の記録方法により情報が記録された光記録ディスクから情報を再生する方法であって、
前記光記録ディスクを回転させながら、記録時と同じ範囲で前記光記録ディスクの径方向にスキャンさせながらレーザ光を照射し、
前記光記録ディスクを通過し、または前記光記録ディスクで反射したレーザ光を受光し、
受光した光の強度信号から情報を復調することを特徴とする光記録ディスクの再生方法。
【請求項５】
情報が記録された光記録ディスクの製造方法であって、
２光子吸収化合物を含む記録層を有する光記録ディスクを用意し、
記録すべき情報を光記録ディスク上に螺旋状または同心円状に並ぶ複数トラック分のピットに対応する第１のピット配列データとして取得し、
前記第１のピット配列データを光記録ディスク上に配置したときのピットを、径方向に順に走査したときの配列として得られる第２のピット配列データに変換し、
前記光記録ディスクを回転させながら前記複数のトラックに相当する範囲を含む範囲でパルスレーザを径方向にスキャンさせて照射し、
前記パルスレーザが発するパルス光を前記第２のピット配列データにしたがって明滅させることを特徴とする情報が記録された光記録ディスクの製造方法。
【請求項６】
２光子吸収化合物を含む記録層を有する光記録ディスクに情報を記録する装置であって、
パルスレーザ光を発するレーザ光源と、
前記レーザ光源から発されるパルスレーザ光を明滅させるシャッタと、
前記レーザ光源から発されるパルスレーザ光を前記光記録ディスクの径方向に偏向させる偏向器と、
前記光記録ディスクを回転させるモータと、
前記レーザ光源、前記シャッタ、前記偏向器および前記モータを制御する制御装置とを備え、
前記制御装置は、
記録すべき情報を光記録ディスク上に螺旋状または同心円状に並ぶ複数トラック分のピットに対応する第１のピット配列データに変調する変調手段と、
前記第１のピット配列データを光記録ディスク上に配置したときのピットを、径方向に順に走査したときの配列として得られる第２のピット配列データに変換するデータ変換手段と、
前記レーザ光源からパルスレーザ光を照射させる発光駆動手段と、
前記モータを駆動して前記光記録ディスクを回転させる回転駆動手段と、
前記複数のトラックに相当する範囲を含む範囲でパルスレーザを径方向にスキャンさせるように前記偏向器を駆動する走査駆動手段と、
前記データ変換手段で得られた第２のピット配列データにしたがって前記シャッタを駆動させるシャッタ駆動手段とを有することを特徴とする光記録ディスクの記録装置。
【請求項７】
２光子吸収化合物を含む記録層を有する光記録ディスクに情報を記録する装置であって、
パルスレーザ光を発するレーザ光源と、
前記レーザ光源から発されるパルスレーザ光を明滅させるシャッタと、
前記レーザ光源から発されるパルスレーザ光を前記光記録ディスクの径方向に偏向させる偏向器と、
前記光記録ディスクを回転させるモータと、
前記レーザ光源、前記シャッタ、前記偏向器および前記モータを制御する制御装置とを備え、
前記制御装置は、
記録すべき情報を光記録ディスク上に螺旋状または同心円状に並ぶ複数トラック分のピットに対応するピット配列データに変調する変調手段と、
前記レーザ光源からパルスレーザ光を照射させる発光駆動手段と、
前記モータを駆動して前記光記録ディスクを回転させる回転駆動手段と、
前記複数のトラックに相当する範囲を含む範囲でパルスレーザを径方向にスキャンさせるように前記偏向器を駆動する走査駆動手段と、
前記ピット配列データにしたがって前記シャッタを駆動させるシャッタ駆動手段とを有することを特徴とする光記録ディスクの記録装置。
【発明の詳細な説明】
【技術分野】
【０００１】
本発明は、２光子吸収化合物を含む記録層を有する光記録ディスクの記録・再生方法、情報が記録された光記録ディスクの製造方法および光記録ディスクの記録装置に関する。
【背景技術】
【０００２】
ＣＤ−Ｒ、ＤＶＤ−ＲＯＭなどの光記録ディスクは、年々、データの記録または再生の速度（以下、「転送速度」という。）が高くなってきている。これら光記録ディスクの転送速度は、記録線密度と、光記録ディスクの回転速度で決定される（特許文献１参照）。
記録線密度は、記録スポットの小ささで決定され、記録スポットの小ささは、一般には、記録・再生に用いられるレーザ光の波長と、対物レンズのＮＡ（開口値）で決定されるが、例えば２光子吸収化合物を用いた記録層を有する記録媒体の場合には更に１／√２に小さくなると言われている。光記録ディスクの回転速度は、現状の光記録ディスクの材料では１００００ｒｐｍ程度で強度的に限界となる。
【０００３】
記録密度と、回転速度の改善がともに限界が近づいてくると、転送速度の向上のための、新たな方法が求められる。
【０００４】
また、データを記録済のいわゆるＲＯＭ型の光記録ディスクを製造する場合、生産個数が多ければ、スタンパによりピット形状を転写して製造すればよいのであるが、少量生産が求められる場合には、ＣＤ−Ｒなどのライトワンス型の記録媒体に一枚ずつ記録を行うことがある。しかし、この生産方式では、非常に時間がかかり、記録速度のさらなる向上が求められていた。
【０００５】
【特許文献１】特開２００７−１０２８８４号公報
【発明の開示】
【発明が解決しようとする課題】
【０００６】
本発明は、上述の背景に鑑みなされたもので、データの転送速度を向上した光記録ディスクの記録・再生方法および光記録ディスクの記録装置を提供するとともに、記録速度を向上した光記録ディスクの記録・再生方法、情報が記録された光記録ディスクの製造方法および光記録ディスクの記録装置を提供することを目的とする。
【課題を解決するための手段】
【０００７】
前記した課題を解決する第１の方法に係る本発明は、２光子吸収化合物を含む記録層を有する光記録ディスクに情報を記録する方法であって、記録すべき情報を光記録ディスク上に螺旋状または同心円状に並ぶ複数トラック分のピットに対応する第１のピット配列データとして取得し、前記第１のピット配列データを光記録ディスク上に配置したときのピットを、径方向に順に走査したときの配列として得られる第２のピット配列データに変換し、前記光記録ディスクを回転させながら前記複数のトラックに相当する範囲を含む範囲でパルスレーザを径方向にスキャンさせて照射し、前記パルスレーザが発するパルスレーザ光を前記第２のピット配列データにしたがって明滅させることを特徴とする。
【０００８】
このような方法によれば、パルスレーザから発されるパルス光は、光記録ディスクの複数トラックに相当する範囲で光記録ディスクの径方向にスキャンされる。そして、第２のピット配列データにしたがってパルスレーザが明滅される。この明滅により、１パルスにつき１つのドット（１つのピットの一部または全部を構成するドットであり、本明細書において「ピット構成ドット」と呼ぶ）が記録される。第２のピット配列データは、第１のピット配列データを光記録ディスク上に螺旋状または同心円状に並ぶピットとして配置したときのピットを、径方向に順に走査したときの配列として得られるものなので、光記録ディスク上に結果としてできあがるピットの配列は、光記録ディスク上の螺旋状または同心円状のトラックに沿って見ると、第１のピット配列データに従うものとなる。
【０００９】
そして、上記の方法では、複数トラック分のピットを、光記録ディスクの一回転の間に記録するので、光記録ディスクをさほど高速回転させなくても、高速で記録をすることができる。すなわち、同じ回転速度であれば従来よりも高い転送速度を実現できる。
なお、上記の方法では、光記録ディスクでの記録は、ヒートモードで屈折率変化を起こす記録方法ではなく、２光子吸収化合物を含む記録層に対してパルスレーザにより記録するので、極めて短時間にスポットを形成することができる。
【００１０】
この記録方法により情報が記録された光記録ディスクから情報を再生する方法は、前記光記録ディスクを回転させながら、前記トラックをトレースするように前記光記録ディスクにレーザ光を照射し、前記光記録ディスクを通過し、または前記光記録ディスクで反射したレーザ光を受光し、受光した光の強度信号から情報を復調することを特徴とする。
【００１１】
すなわち、記録時にレーザ光を径方向にスキャンさせながらピットの形成を行ったのに対し、再生時には、従来のＣＤやＤＶＤなどと同じように、螺旋状または同心円状のトラックをトレースするようにレーザ光を照射して再生を行うことができる。
【００１２】
前記した課題を解決する第２の方法に係る本発明は、２光子吸収化合物を含む記録層を有する光記録ディスクに情報を記録する方法であって、記録すべき情報を光記録ディスク上に並ぶピットに対応するピット配列データとして取得し、前記光記録ディスクを回転させながらパルスレーザを前記光記録ディスクの径方向にスキャンさせて照射し、前記パルスレーザが発するパルスレーザ光を前記ピット配列データにしたがって明滅させることを特徴とする。
【００１３】
このように、パルスレーザを径方向にスキャンさせながらピット配列データにしたがってパルスレーザを明滅させることにより、１つのトラック（と、ここでは称する）内に径方向に並んだピットが形成される。これにより、１つのトラック内に、径方向にピットを並べて大量の情報を記録するので、光記録ディスクをさほど高速回転させなくても、高速で情報を記録することができる。すなわち、同じ回転速度であれば従来よりも高い転送速度を実現できる。
【００１４】
この記録方法により情報が記録された光記録ディスクから情報を再生する方法は、前記光記録ディスクを回転させながら、記録時と同じ範囲で前記光記録ディスクの径方向にスキャンさせながらレーザ光を照射し、前記光記録ディスクを通過し、または前記光記録ディスクで反射したレーザ光を受光し、受光した光の強度信号から情報を復調することを特徴とする。
【００１５】
この方法によれば、情報の再生時にも、光記録ディスクの径方向にレーザ光をスキャンさせながらピットから得られる信号を読み取る。つまり、読取時にも１トラック内で径方向に並んだ情報を読み取るので、同じ回転速度であっても、従来より高速で情報を再生することができる。
【００１６】
前記した課題を解決する本発明は、情報が記録された光記録ディスクの製造方法であって、２光子吸収化合物を含む記録層を有する光記録ディスクを用意し、記録すべき情報を光記録ディスク上に螺旋状または同心円状に並ぶ複数トラック分のピットに対応する第１のピット配列データとして取得し、前記第１のピット配列データを光記録ディスク上に配置したときのピットを、径方向に順に走査したときの配列として得られる第２のピット配列データに変換し、前記光記録ディスクを回転させながら前記複数のトラックに相当する範囲を含む範囲でパルスレーザを径方向にスキャンさせて照射し、前記パルスレーザが発するパルスレーザ光を前記第２のピット配列データにしたがって明滅させることを特徴とする。
【００１７】
このような方法によれば、前記した第１の方法と同様に、パルスレーザから発されるパルス光は、光記録ディスクの複数トラックに相当する範囲で光記録ディスクの径方向にスキャンされ、光記録ディスク上にピットが形成される。
そして、上記の方法では、複数トラック分のピットを、光記録ディスクの一回転の間に記録するので、光記録ディスクをさほど高速回転させなくても、高速で記録をすることができる。すなわち、ＣＤやＤＶＤのような螺旋状または同心円状にトラックが形成された記録媒体を高速で作成することができる。
【００１８】
前記した課題を解決する本発明は、前記した第１の方法を実現する装置であり、２光子吸収化合物を含む記録層を有する光記録ディスクに情報を記録する装置であって、パルスレーザ光を発するレーザ光源と、前記レーザ光源から発されるパルスレーザ光を明滅させるシャッタと、前記レーザ光源から発されるパルスレーザ光を前記光記録ディスクの径方向に偏向させる偏向器と、前記光記録ディスクを回転させるモータと、前記レーザ光源、前記シャッタ、前記偏向器および前記モータを制御する制御装置とを備え、前記制御装置は、記録すべき情報を光記録ディスク上に螺旋状または同心円状に並ぶ複数トラック分のピットに対応する第１のピット配列データに変調する変調手段と、前記第１のピット配列データを光記録ディスク上に配置したときのピットを、径方向に順に走査したときの配列として得られる第２のピット配列データに変換するデータ変換手段と、前記レーザ光源からパルスレーザ光を照射させる発光駆動手段と、前記モータを駆動して前記光記録ディスクを回転させる回転駆動手段と、前記複数のトラックに相当する範囲を含む範囲でパルスレーザを径方向にスキャンさせるように前記偏向器を駆動する走査駆動手段と、前記データ変換手段で得られた第２のピット配列データにしたがって前記シャッタを駆動させるシャッタ駆動手段とを有することを特徴とする。
【００１９】
このような装置によれば、パルスレーザが発するパルスレーザ光は、走査駆動手段により径方向にスキャンされながら、シャッタ駆動手段により駆動されるシャッタにより第２のピット配列データにしたがって明滅される。第２のピット配列データは、第１のピット配列データを光記録ディスク上に螺旋状または同心円状に並ぶピットとして配置したときのピットを、径方向に順に走査したときの配列として得られるものなので、光記録ディスク上に結果としてできあがるピットの配列は、光記録ディスク上の螺旋状または同心円状のトラックに沿って見ると、第１のピット配列データに従うものとなる。
すなわち、この装置によれば、第１の方法と同様に、複数トラック分のピットを、光記録ディスクの一回定の間に記録するので、光記録ディスクをさほど高速回転させなくても、高速で記録をすることができる。すなわち、同じ回転速度であれば従来よりも高い転送速度を実現できる。
【００２０】
また、前記した第２の方法を実現する装置は、２光子吸収化合物を含む記録層を有する光記録ディスクに情報を記録する装置であって、パルスレーザ光を発するレーザ光源と、前記レーザ光源から発されるパルスレーザ光を明滅させるシャッタと、前記レーザ光源から発されるパルスレーザ光を前記光記録ディスクの径方向に偏向させる偏向器と、前記光記録ディスクを回転させるモータと、前記レーザ光源、前記シャッタ、前記偏向器および前記モータを制御する制御装置とを備え、前記制御装置は、記録すべき情報を光記録ディスク上に螺旋状または同心円状に並ぶ複数トラック分のピットに対応するピット配列データに変調する変調手段と、前記レーザ光源からパルスレーザ光を照射させる発光駆動手段と、前記モータを駆動して前記光記録ディスクを回転させる回転駆動手段と、前記複数のトラックに相当する範囲を含む範囲でパルスレーザを径方向にスキャンさせるように前記偏向器を駆動する走査駆動手段と、前記ピット配列データにしたがって前記シャッタを駆動させるシャッタ駆動手段とを有することを特徴とする。
【００２１】
このような装置によれば、パルスレーザが発するパルスレーザ光は、走査駆動手段により径方向にスキャンされながら、シャッタ駆動手段により駆動されるシャッタによりピット配列データにしたがって明滅される。このため、１つのトラック内に径方向に並んだピットが形成される。これにより、１つのトラック内に、径方向にピットを並べて大量の情報を記録するので、光記録ディスクをさほど高速回転させなくても、高速で情報を記録することができる。すなわち、同じ回転速度であれば従来よりも高い転送速度を実現できる。
【発明の効果】
【００２２】
上述したように、本発明の光記録ディスクの記録方法、製造方法または記録装置によれば、径方向にパルスレーザ光をスキャンさせながら、従来の複数トラックに相当する範囲を、光記録ディスクの一回転の間に記録するので、高速での記録が可能である。また、本発明の光記録ディスクの再生方法によれば、本発明の記録方法に対応した情報の再生が可能である。
【発明を実施するための最良の形態】
【００２３】
［第１実施形態］
次に、本発明の第１実施形態に係る光記録ディスクの記録方法（製造方法）および再生方法について説明する。参照する図において、図１は、第１実施形態に係る光記録ディスクの記録再生装置（以下、「光記録ディスクドライブ」という）の概略構成を示す図であり、図２は、光ピックアップの拡大図および光記録ディスクの拡大断面図であり、図３は、制御装置のブロック図であり、図４（ａ）は、光記録ディスクに記録されるピットの配列を説明する図であり、図４（ｂ）は、データの変換を説明する図であり、図５（ａ）は、本実施形態の光記録ディスクドライブの記録時の動作を説明する図であり、図５（ｂ）は、本実施形態の光記録ディスクドライブで記録された光記録ディスクを再生するときの動作を説明する図である。
【００２４】
図１に示すように、光記録ディスクドライブ１は、コンピュータ（ＰＣ）などから入力された情報（データ）を光記録ディスク１０に光学的に記録する装置であり、主として、光記録ディスク１０を支持するスピンドル３１、スピンドル３１を回転させるモータ３２、光ピックアップ２０、光ピックアップ２０が光記録ディスク１０の径方向に移動するのを案内するガイド３３および制御装置１００を備えてなる。
【００２５】
図２に示すように、光記録ディスク１０は、一例として、基板１１の上に、反射層１２、記録層１３およびカバー層１４をこの順に備えてなる。
【００２６】
基板１１は、記録層１３を支持するための板であり、樹脂板などからなる。
【００２７】
反射層１２は、データの再生時に、光ピックアップ２０にレーザ光を反射するための層である。反射層１２は、任意的に設ければよく、例えば、データの再生時に、レーザ光を光記録ディスク１０を透過させて光ピックアップ２０と反対側で受光するのであれば、反射層１２を省略することができる。
【００２８】
記録層１３は、２光子吸収化合物を含む層である。２光子吸収化合物とは、同時に、厳密には極めて短い時間間隔内に２つの光子が入ったときに限り電子が励起して光を吸収する化合物である。本発明のように光記録媒体として用いる場合、この電子の励起エネルギーを利用して化学反応を起こさせ、これにより光（再生光に用いる光）の屈折率および吸収率などを変調させることが可能な化合物を用いる。２光子吸収化合物としては、例えばジアリルエテンを用いることができる。
【００２９】
カバー層１４は、記録層１３を保護する層であり、記録時および再生時のレーザ光を透過可能であれば、材質は問わない。例えば、樹脂やガラスを用いることができる。
【００３０】
光記録ディスク１０は、上記の各層以外に、反射防止膜など他の層を別途設けてあっても構わない。
【００３１】
一方、光ピックアップ２０は、鏡筒２１に、レーザ光源としてのレーザ２２、ビームスプリッタ２３、コリメートレンズ２４、シャッタ２５、偏向器２６、対物レンズ２７、第１受光器２８および第２受光器２９が設けられてなる。
【００３２】
レーザ２２は、間欠的に発光するパルスレーザであり、望ましくは、２光子吸収反応を効率的に起こすために、極めて短い時間内に強いレーザ光を発するフェムト秒レーザ光源を用いるのがよい。なお、レーザ発振の媒体は、記録層１３の２光子吸収反応を起こすことができる限り、特に限定されない。
【００３３】
ビームスプリッタ２３は、ハーフミラーなどからなり、レーザ２２が発するパルスレーザ光の光路の下流側に配置されている。ビームスプリッタ２３は、レーザ２２から発したレーザの一部を第１受光器２８に分岐させ、また、光記録ディスク１０から戻ってきた光の一部を第２受光器２９に分岐させる。
【００３４】
コリメートレンズ２４は、ビームスプリッタ２３に対しレーザ２２が発するパルスレーザ光の光路の下流側に配置され、パルスレーザ光を平行光束に変換するレンズである。
【００３５】
シャッタ２５は、パルスレーザ光を通過（オン）または遮断（オフ）させる素子であり、偏向素子２５ａと、開口２５ｃを有するシャッタ板２５ｂとを備えてなる。シャッタ２５は、コリメートレンズ２４に対し、レーザ２２が発するパルスレーザ光の光路の下流側に配置されている。シャッタ２５は、高速動作をさせるため、メカニカルでない光スイッチを用いるとよい。偏向素子２５ａは、電気光学変調素子（ＥＯＭ）からなり、入力された信号に応じて屈折率が変化するものである。偏向素子２５ａに信号を入力しないときには、パルスレーザ光は開口２５ｃを通過し、信号を入力したときには、パルスレーザ光が曲がることで、シャッタ板２５ｂによりパルスレーザ光が遮断される。
【００３６】
偏向器２６は、電気光学変調素子（ＥＯＭ）からなり、シャッタ２５に対しレーザ２２が発するパルスレーザ光の光路の下流側に配置されている。偏向器２６は、入力された信号に応じてパルスレーザ光を光記録ディスク１０の径方向に曲げるものである。
【００３７】
対物レンズ２７は、偏向器２６に対し、レーザ２２が発するパルスレーザ光の光路の下流側に配置されている。対物レンズ２７は、パルスレーザ光を集光して、記録層１３においてパルスレーザ光が焦点を結ぶように機能する。なお、対物レンズ２７は、図示しないフォーカスコイル４１（図３参照）で位置が移動される。これにより、パルスレーザ光のフォーカスが制御される。
【００３８】
第１受光器２８は、ビームスプリッタ２３で分岐されたパルスレーザ光が入射され、この光を受光するものである。受光した信号は、制御装置１００に入力される。
【００３９】
第２受光器２９は、光記録ディスク１０から反射し、さらにビームスプリッタ２３で分岐された光をシリンドリカルレンズ２９ａを介して受光するものである。受光した信号は制御装置１００に入力される。
【００４０】
上述のような光ピックアップ２０は、公知のアクチュエータ３５により、ガイド３３に沿って、つまり、光記録ディスク１０の径方向に沿って移動が可能となっている。
【００４１】
図３に示すように、制御装置１００は、記録すべきデータが入力され、第１受光器２８および第２受光器２９から入力された信号に基づいて、レーザ２２、シャッタ２５、偏向器２６、モータ３２、フォーカスコイル４１を制御する装置であり、変調回路１１０、データ変換手段１１１、同期信号発生回路１１５、発光駆動手段１２０、シャッタ駆動手段１３０、走査駆動手段１４０、回転駆動手段１５０、フォーカス演算手段１６０、フォーカス駆動手段１６１および記憶部１９０を備える。各手段は、専用の回路により構成されるか、ＣＰＵ，ＲＯＭ，ＲＡＭなどを備えるコンピュータにプログラムを実行させることにより実現される。
【００４２】
変調回路１１０は、変調手段の一例であり、記録すべきデータをピットの配置を示すデジタルデータ（第１のピット配列データ）に変調する回路である。変調回路１１０としては、例えば公知のＥＦＭ変調回路などを用いることができる。
【００４３】
データ変換手段１１１は、変調回路１１０で変調された第１のピット配列データを光記録ディスク１０上に配置したときのピットを、径方向に順に走査したときの配列として得られる第２のピット配列データに変換する手段である。
この変換の一例を、図４を参照して説明する。図４（ａ）に示すように、光記録ディスク１０には、複数本の螺旋状のトラック１５ａを含むトラック群１５が概念的に設けられている。なお、トラック１５ａは螺旋状であるため隣接するトラックは繋がっており、全部で１本であるともいえるが、本発明においては、便宜上、複数周分のトラック１５ａを複数本として数え、「複数（の）トラック」と称する。本実施形態の光記録ディスクドライブ１は、後述するように光記録ディスク１０を一回転させる間に、この１つのトラック群１５に含まれるトラック１５ａのすべてのピットを記録する。１つのトラック群１５はＭ本のトラック１５ａを含み、周方向にＮ個のデジタルデータを含んでいる。トラック群１５に含まれるトラック数Ｍは、例えば、２〜数千に設定することができる。なお、図４（ａ）において、トラック群１５は誇張した大きさに表現してある。
【００４４】
図４（ｂ）に示すように、このデジタルデータは、Ｎ列、Ｍ行のデータの配列として表現することができる。光記録ディスク１０を再生するときのピットの配列としては、図４（ｂ）のデジタルデータを横方向（光記録ディスク１０の周方向に対応する）に連ねた配列が相当する。データ変換手段１１１は、この配列に対応するデータ（第１のピット配列データ）を、図４（ｂ）の矢印に示したように縦方向に順に連ねることで、第２のピット配列データを生成する。すなわち、第２のピット配列データを生成する一つの方法は、第１のピット配列データをＮ−１個おきに拾って並べてなるものである。例えば、１番目から２０番目まで連なるデータがあって、Ｎが３であれば、１（番目、以下省略），４，７，１０，１３，１６，１９のように２つおきにデータを拾って順に並べ、この後は、２，５，８，１１，１４，１７，２０，３，６，９，１２，１５，１８ように拾って並べることになる。なお、第１のピット配列データを第２のピット配列データに変換する方法は、この例に限定されるものではない。
【００４５】
図４（ｂ）における１は、光記録ディスク１０の記録時において、例えば露光部分に対応させ、０は非露光部分に対応させることができる。データ変換手段１１１が生成した第２のピット配列データは、シャッタ駆動手段１３０に出力される。
【００４６】
同期信号発生回路１１５は、第１受光器２８が受光した光の強度信号が入力され、この信号と同じタイミング（周波数）で同期信号を発生する回路である。この信号は、シャッタ駆動手段１３０、走査駆動手段１４０、回転駆動手段１５０の動作の同期に用いられる。なお、同期信号発生回路１１５で発生する同期信号は、必ずしも第１受光器２８からの受光の信号に基づく必要はない。
【００４７】
発光駆動手段１２０は、レーザ２２を発光させる駆動信号をレーザ２２に出力する公知の手段である。
【００４８】
シャッタ駆動手段１３０は、データ変換手段１１１から入力された第２のピット配列データにしたがって、シャッタ２５を駆動する手段である。すなわち、図４（ｂ）の矢印に示したようなデータ配列にしたがって、１が入力されたときには、レーザ２２からのパルスレーザ光を透過させ、０が入力されたときには、パルスレーザ光を遮断する。すなわち、シャッタ駆動手段１３０は、レーザ２２が発する光を第２のピット配列データにしたがって明滅させるように機能する。なお、シャッタ駆動手段１３０の動作は、同期信号にしたがって動作タイミングが決定される。
【００４９】
走査駆動手段１４０は、回転している光記録ディスクのトラック群１５に相当する範囲を含む範囲でパルスレーザ光を光記録ディスク１０の径方向にスキャンさせる手段である。具体的には、走査駆動手段１４０は、所定の周波数の一定の信号を偏向器２６に出力することによって、所定幅でレーザ２２からのパルスレーザ光を偏向させる。なお、走査駆動手段１４０には、同期信号発生回路１１５から同期信号が入力され、所定の周波数の信号の位相は、この同期信号にしたがって調整される。
【００５０】
走査駆動手段１４０によりパルスレーザ光を径方向にスキャンさせる速度は、連続するレーザのパルス光が、光記録ディスク１０上において重ならない程度の速度であり、隣接して形成されるピット構成ドット１７ａ（図５（ａ）参照）がトラックピッチに相当するような速度であるのが望ましい。もっとも、これより遅い速度で径方向にスキャンしてもよいが、その場合には、シャッタ２５で、パルス光の一部を間引いて、径方向に隣接して記録されるピット構成ドット１７ａがトラックピッチに相当するように制御する必要がある。
【００５１】
回転駆動手段１５０は、モータ３２を駆動して、光記録ディスク１０を回転駆動する公知の手段である。回転駆動手段１５０は、同期信号発生回路１１５から同期信号が入力され、この同期信号にしたがって、回転速度が調整される。
この回転速度は、周方向に隣接して記録されるピット構成ドット１７ａが、重なるような速度に設定される。
【００５２】
フォーカス演算手段１６０は、第２受光器２９から受光の信号が入力され、対物レンズ２７のフォーカス制御量を演算する公知の手段である。フォーカス演算手段１６０は、例えば、非点収差法などにより、フォーカスの制御量を演算する。演算結果は、フォーカス駆動手段１６１に出力される。
【００５３】
フォーカス駆動手段１６１は、フォーカス演算手段１６０で演算されたフォーカス制御量に従い、フォーカスコイル４１に信号を出力する手段である。
【００５４】
記憶部１９０は、制御装置１００で行う演算の際に、適宜データを記憶する部分である。例えば、変調回路１１０での変調時、データ変換手段１１１でのデータ変換時およびデータ出力時に適宜データが記憶される。
【００５５】
以上のように構成された光記録ディスクドライブ１の動作について説明する。
コンピュータ（ＰＣ）などから制御装置１００に入力されたデータは、変調回路１１０により、第１のピット配列データに変調される。第１のピット配列データは、データ変換手段により、光記録ディスク１０を回転させながら１つのトラック群１５内のピット１７（図５（ａ）参照）を径方向に走査した場合の配列からなる第２のピット配列データに変換される。
発光駆動手段１２０は、レーザ２２を発光させ、レーザ２２からは、間欠的なパルスレーザ光が出射される。なお、フォーカス駆動手段１６１によりフォーカスコイル４１が駆動されて、パルスレーザ光は、記録層１３内でフォーカスが合わされる。
回転駆動手段１５０は、モータ３２を回転させて、光記録ディスク１０を回転させる。
【００５６】
光記録ディスク１０が回転駆動されると、図５（ａ）に示すように、光記録ディスク１０は、光ピックアップ２０に対し矢印Ａ１の方向に相対的に移動する。そして、走査駆動手段１４０が、１つのトラック群１５を含む範囲でパルスレーザ光を光記録ディスク１０の径方向にスキャンさせることで、図５（ａ）の矢印Ａ２，Ａ３のように、パルスレーザ光が径方向にジグザグに移動する。さらに、シャッタ駆動手段１３０が第２のピット配列データにしたがってシャッタ２５を駆動することで、記録層１３が２光子吸収反応を起こして、吸収率の変調などにより、ピット構成ドット１７ａが記録される。
【００５７】
なお、本実施形態においては、図５の実線の矢印Ａ２に示したように、径方向内側に向かって（図５（ａ）の左から右）パルスレーザ光がスキャンされるときにシャッタ２５でパルス光の一部を遮断することで、第２のピット配列データにしたがってパルスレーザ光が明滅し、径方向外側に向かって（図５（ａ）の右から左）にパルスレーザ光がスキャンされるときには、パルスレーザ光はシャッタ２５により遮断される。
【００５８】
このようにして記録層１３に、複数のピット構成ドット１７ａが記録される。長さが周方向に長いピット１７を記録する場合には、周方向に隣接するピット構成ドット１７ａを記録する際に前のスキャニングで記録したピット構成ドット１７ａと一部重ねて記録する。すなわち、光記録ディスク１０の回転速度に合わせて、周方向に隣接するピット構成ドット１７ａが重なるようなタイミングで、径方向のスキャニングが行われる。
例えば、図５（ａ）に示したピット構成ドット１７Ａ，１７Ｂ，１７Ｃのように、隣接するピット構成ドット１７ａがつながることで、ピット構成ドット１７ａのおよそ３つ分の長さからなる一つのピット１７が構成される。
【００５９】
このようにして、一つのトラック群１５についてピット構成ドット１７ａ（ピット１７）を記録した後は、アクチュエータ３５を駆動することで、光ピックアップ２０を隣のトラック群１５に移動させ、前に記録したトラック１５ａとこれから記録するトラック１５ａが連続するように次のトラック群１５のピット１７が記録される。
【００６０】
以上のようにして、本実施形態の光記録ディスクドライブ１によれば、光記録ディスク１０を一回転させる間に、一つのトラック群１５内に含まれるすべてのトラック１５ａに対してピット構成ドット１７ａ（ピット１７）を記録することができる。そのため、光記録ディスク１０の回転速度を高くしなくても、高速でデータを記録することができる。例えば、トラック群１５が１０００本のトラック１５ａを含むように設定した場合、従来より１０分の１の回転速度でデータを記録したとしても、１００倍の速度でデータを記録することができる。すなわち、記録時のデータ転送速度を高速にすることができる。また、この光記録ディスクドライブ１により情報が記録された光記録ディスク１０を製造する場合には、高速で製造することが可能である。したがって、少量生産のＤＶＤソフトウェアなどを製造する場合に、本実施形態の光記録ディスクドライブ１およびこれを使った製造方法を好適に使用することができる。
【００６１】
情報が記録された光記録ディスク１０を再生する場合、従来と同じ光記録ディスクドライブにより再生を行えばよい。すなわち、図５（ｂ）に示す矢印Ａ４のように、光記録ディスク１０を回転させながら、１つのトラック１５ａをトレースするように光記録ディスク１０にレーザ光を照射する。そして、光記録ディスク１０の反射層１２で反射したレーザ光を第２受光器２９で受光し、受光した光の強度信号から図示しない公知の復調器で情報を復調すればよい。
なお、本実施形態では、パルスレーザ光でピット１７を読み取ることを想定しているが、データの再生のために、連続発振のレーザ光源を用いた光ピックアップを別途設けてもよい。
【００６２】
［第２実施形態］
次に、本発明の第２実施形態について説明する。第２実施形態は、第１実施形態の一部を変更したものであるので、第１実施形態と同様の部分については、図面の各要素に同じ符号を付して説明を省略する。参照する図において、図６は、第２実施形態に係る光記録ディスクドライブの制御装置のブロック図であり、図７は、第２実施形態の光記録ディスクドライブの記録時および再生時の動作を説明する図である。
【００６３】
図６に示すように、第２実施形態に係る光記録ディスクドライブ１の制御装置１００′は、第１実施形態の制御装置１００に対して、データ変換手段１１１が設けられておらず、復調回路１１２が別途設けられている。
【００６４】
データ変換手段１１１が無いため、変調回路１１０で生成されたピット配列データ（第１実施形態での第１のピット配列データに相当する）は、そのままシャッタ駆動手段１３０に入力される。
【００６５】
シャッタ駆動手段１３０は、変調回路１１０から入力されたピット配列データにしたがって、シャッタ２５を駆動する。
【００６６】
復調回路１１２は、第２受光器２９からの受光信号が入力され、変調回路１１０と同じアルゴリズムで、ピット１７から得られたオン・オフの信号をデータに復調する公知の手段である。
【００６７】
走査駆動手段１４０によりパルスレーザ光を径方向にスキャンさせる速度は、連続するレーザのパルス光が、光記録ディスク１０上において重なる程度の速度に設定される。
【００６８】
回転駆動手段１５０により駆動されるモータ３２の回転速度は、周方向に隣接して記録されるピット構成ドット１７ａが、重ならないような速度に設定されるのが望ましい。もっとも、周方向に隣接するピット構成ドット１７ａが重なるようなゆっくりした速度でモータ３２を回転させてもよく、この場合には、パルスレーザ光が径方向に数往復する間、シャッタ２５を閉めたままにしてレーザのパルス光の一部を間引くように制御する。
【００６９】
以上のように構成された光記録ディスクドライブ１の動作について説明する。
コンピュータ（ＰＣ）などから制御装置１００′に入力されたデータは、変調回路１１０により、ピットの配列を示すピット配列データに変調される。発光駆動手段１２０は、レーザ２２を発光させ、レーザ２２からは、間欠的にレーザ光が出射される。なお、フォーカス駆動手段１６１によりフォーカスコイル４１が駆動されて、パルスレーザ光は、記録層１３内でフォーカスが合わされる。
回転駆動手段１５０は、モータ３２を回転させて、光記録ディスク１０を回転させる。
【００７０】
光記録ディスク１０は回転駆動されると、図７に示すように、光ピックアップ２０に対し、矢印Ａ１の方向に相対的に移動する。そして、走査駆動手段１４０が、１つのトラック１５′を含む範囲でパルスレーザ光を光記録ディスク１０の径方向にスキャンさせることで、図７の矢印Ａ２，Ａ３のように、パルスレーザ光が径方向にジグザグに移動する。さらに、シャッタ駆動手段１３０がピット配列データにしたがってシャッタ２５を駆動することで、記録層１３が２光子吸収反応を起こして、反射率の変調などにより、ピット構成ドット１７ａが記録される。
【００７１】
なお、本実施形態においては、図７の実線の矢印Ａ２に示したように、径方向内側に向かって（図７の左から右）パルスレーザ光がスキャンされるときにシャッタ２５でパルス光の一部を遮断することで、ピット配列データにしたがってパルスレーザ光が明滅し、径方向外側に向かって（図７の右から左）にパルスレーザ光がスキャンされるときには、パルスレーザ光はシャッタ２５により遮断される。
【００７２】
このように記録されたピット構成ドット１７ａは、周方向に隣接する次のスキャニングの際には、前のスキャニングで記録したピット構成ドット１７ａから所定距離離れて記録される。すなわち、光記録ディスク１０の回転速度に合わせて、周方向に隣接するピット構成ドット１７ａが離間するようなタイミングで、径方向のスキャニングが行われる。このため、径方向にパルスレーザ光の光路が数往復する間、シャッタ２５を閉じたままにしておいてもよい。
一方、長さの長いピット１７を記録できるようにするため、径方向に隣接するピット構成ドット１７ａは、重なるように記録する。すなわち、図７に示したピット構成ドット１７Ａ，１７Ｂ，１７Ｃのように、隣接するピット構成ドット１７ａが径方向につながることで、ピット構成ドット１７ａのおよそ３つ分の長さからなる一つのピット１７が構成される。
【００７３】
このようにして、一つのトラック１５′についてピット構成ドット１７ａ（ピット１７）を記録した後は、アクチュエータ３５を駆動することで、光ピックアップ２０を隣のトラック１５′に移動させ、同様の記録制御を繰り返す。
【００７４】
以上のようにして、本実施形態の光記録ディスクドライブ１によれば、一つのトラック１５′内に径方向に延びる複数の記録セグメント１５ａ′を含んでおり、光記録ディスク１０を一回転させる間に、１つのトラック１５′に含まれるすべての記録セグメント１５ａ′に対してピット構成ドット１７ａ（ピット１７）を記録することができる。そのため、光記録ディスク１０の回転速度を高くしなくても、高速でデータを記録することができる。すなわち、記録時のデータ転送速度を高速にすることができる。
【００７５】
情報が記録された光記録ディスク１０を再生する場合、記録時と同じように、光記録ディスク１０を回転させながら、記録時と同じ範囲で光記録ディスク１０の径方向にスキャンさせながらレーザ光を照射する。そして、光記録ディスク１０の反射層１２で反射したレーザ光を第２受光器２９で受光する。さらに、復調回路１１２で、受光した光の強度信号から情報を復調する。
【００７６】
このように、再生時にも、光記録ディスク１０を一回転させる間に一つのトラック１５′に含まれる複数の記録セグメント１５ａ′のピット１７をすべて読み取ることができるので、光記録ディスク１０をそれほど高速回転させなくても、高速でデータを再生することができる。すなわち、従来に比較して高速でデータを再生することができる。
なお、本実施形態では、パルスレーザ光でピット１７を読み取ることを想定しているが、データの再生のために、連続発振のレーザ光源を用いた光ピックアップを別途設けてもよい。
【００７７】
以上説明したように、本発明の光記録ディスクの記録方法、再生方法（装置）によれば、光記録ディスクの回転速度を高くしなくても、従来より極めて高速でのデータ転送が可能となる。
【００７８】
以上に本発明の実施形態について説明したが、本発明の趣旨に反しない限り、本発明を適宜変形して実施することが可能であることはいうまでもない。
例えば、前記実施形態では、トラックは螺旋状の場合についてのみ例示したが、同心円状に記録トラックが形成される場合にも、同様に本発明を適用することができる。
【図面の簡単な説明】
【００７９】
【図１】第１実施形態に係る光記録ディスクの記録再生装置の概略構成を示す図である。
【図２】光ピックアップおよび光記録ディスクの拡大断面図である。
【図３】制御装置のブロック図である。
【図４】（ａ）は、光記録ディスクに記録されるピットの配列を説明する図であり、（ｂ）は、データの変換を説明する図である。
【図５】（ａ）は、第１実施形態の光記録ディスクドライブの記録時の動作を説明する図であり、（ｂ）は、第１実施形態の光記録ディスクドライブで記録された光記録ディスクを再生するときの動作を説明する図である。
【図６】第２実施形態に係る光記録ディスクドライブの制御装置のブロック図である。
【図７】第２実施形態の光記録ディスクドライブの記録時および再生時の動作を説明する図である。
【符号の説明】
【００８０】
１      光記録ディスクドライブ
１０    光記録ディスク
１３    記録層
１５    トラック群
１５′  トラック
１５ａ  トラック
１５ａ′  記録セグメント
１７    ピット
１７ａ  ピット構成ドット
２０    光ピックアップ
２２    半導体レーザ
２５    シャッタ
２６    偏向器
２８    第１受光器
２９    第２受光器
３１    スピンドル
３２    モータ
３３    ガイド
３５    アクチュエータ
１００  制御装置
【図１】
2009245536.tif 000003
【図２】
2009245536.tif 000004
【図３】
2009245536.tif 000005
【図４】
2009245536.tif 000006
【図５】
2009245536.tif 000007
【図６】
2009245536.tif 000008
【図７】
2009245536.tif 000009